(57)【要約】  本発明は、移動通信システムの基地局の上りリンクの試験に関する。メッセージブロックがそれぞれ、試験の各メッセージブロックについて、試験される基地局からの１つ以上の再送要求の必要なしに、移動局エミュレータもしくはシミュレータから、所定の最大再送回数、送信される。本発明は、セルラー方式移動無線通信システム、特に、ユニバーサル・モバイル・テレコミュニケーションシステムすなわちＵＭＴＳには非常に良く適している。
2008530899.tif 000002
【特許請求の範囲】
【請求項１】
移動通信システムの基地局の上りリンクの試験のための方法であって、
メッセージブロックがそれぞれ所定の最大再送回数、前記試験の各メッセージブロックについて試験される前記基地局からの１つ以上の再送要求を必要とせずに、移動局エミュレータもしくはエミュレータから送信される
ことを特徴とする方法。
【請求項２】
前記移動局エミュレータもしくはエミュレータ、および前記基地局は、無線周波数チャネルシミュレータを介して接続されることを特徴とする請求項１に記載の方法。
【請求項３】
試験される前記基地局は、再送情報を復号して合成する、ハイブリッドＡＲＱ用に設計されていることを特徴とする請求項１に記載の方法。
【請求項４】
それぞれが異なる所定の最大再送回数を有する、所定数のテストケースが存在することを特徴とする請求項１に記載の方法。
【請求項５】
前記移動局エミュレータもしくはエミュレータと、試験される前記基地局との間に、フィードバックチャネルが確立されるか否かとは無関係に、実行可能であることを特徴とする請求項１に記載の方法。
【請求項６】
前記移動局エミュレータもしくはエミュレータと、試験される前記基地局との間に、Ｅ−ＤＣＨ  ＨＡＲＱ確認応答インジケータチャネルが確立されるか否かとは無関係に、実行可能であることを特徴とする請求項１に記載の方法。
【請求項７】
試験装置がスループットの形で性能尺度を提供し、
前記性能尺度は、試験される前記基地局からの１つ以上の再送シーケンス番号に由来するデータを含む
ことを特徴とする請求項１に記載の方法。
【請求項８】
各メッセージブロックの前記最大再送回数は、前記再送シーケンス番号の表現に関連して判断されることを特徴とする請求項７に記載の方法。
【請求項９】
各メッセージブロックの前記最大再送回数は、１ずつ増加される再送シーケンス番号の表現の最大値以下であることを特徴とする請求項７に記載の方法。
【請求項１０】
前記性能尺度は、送信されたメッセージブロックの数も含むことを特徴とする請求項７に記載の方法。
【請求項１１】
前記性能尺度は、試験される前記基地局によって成功裏に復号されたメッセージブロックの相対数も含むことを特徴とする請求項１０に記載の方法。
【請求項１２】
前記性能尺度は、かかった時間、またはメッセージブロック頻度も含むことを特徴とする請求項１０に記載の方法。
【請求項１３】
前記上りリンクは、第３世代パートナーシップ・プロジェクトのエンハンスト上りリンクであることを特徴とする請求項１に記載の方法。
【請求項１４】
前記メッセージブロックは、エンハンスト専用チャネル、又はＥ−ＤＣＨ専用物理データチャネルを介して送信されることを特徴とする請求項１に記載の方法。
【請求項１５】
移動通信システムの基地局の上りリンクの試験のための移動局エミュレータもしくはエミュレータであって、前記移動局は、
前記試験の各メッセージブロックについて試験される前記基地局からの１つ以上の再送要求の受信を必要とせずに、所定の最大回数、メッセージブロックを送信する送信手段を備える
ことを特徴とする移動局エミュレータもしくはエミュレータ。
【請求項１６】
所定数のテストケースのために前記所定の最大回数を変化させる電気回路を備えることを特徴とする請求項１５に記載の移動局エミュレータもしくはエミュレータ。
【請求項１７】
送信されたメッセージブロックの数を提供する出力手段を備えることを特徴とする請求項１５に記載の移動局エミュレータもしくはエミュレータ。
【請求項１８】
送信されるメッセージブロック内に送信情報を提供する出力手段を備えることを特徴とする請求項１５に記載の移動局エミュレータもしくはエミュレータ。
【請求項１９】
前記上りリンクは、第３世代パートナーシップ・プロジェクトのエンハンスト上りリンクであることを特徴とする請求項１５に記載の移動局エミュレータもしくはエミュレータ。
【請求項２０】
前記メッセージブロックは、エンハンスト専用チャネル、又はＥ−ＤＣＨ専用物理データチャネルを介して送信されることを特徴とする請求項１５に記載の移動局エミュレータもしくはエミュレータ。
【請求項２１】
移動通信システムの基地局の上りリンク試験のための試験装置であって、
チャネルシミュレータを介して移動局エミュレータもしくはエミュレータから試験される前記基地局へ送信されるメッセージブロックに関連する性能尺度を判断する処理手段を備え、
各メッセージブロックは、前記試験の各メッセージブロックについて試験される前記基地局からの１つ以上の再送要求を必要とせずに、所定の最大再送回数、送信される
ことを特徴とする試験装置。
【請求項２２】
前記移動局エミュレータもしくはエミュレータと、試験される前記基地局とを無線周波数で相互接続する手段を備えることを特徴とする請求項２１に記載の試験装置。
【請求項２３】
前記試験装置は、それぞれが異なる所定の最大再送回数を有する、所定数のテストケースの下で動作可能であることを特徴とする請求項２１に記載の試験装置。
【請求項２４】
試験される前記基地局から前記移動局エミュレータもしくはエミュレータへのフィードバックチャネルが確立されるか否かとは無関係に動作可能であることを特徴とする請求項２１に記載の試験装置。
【請求項２５】
前記移動局エミュレータもしくはエミュレータと、試験される前記基地局との間に、Ｅ−ＤＣＨ  ＨＡＲＱ確認応答インジケータチャネルが確立されるか否かとは無関係に動作可能であることを特徴とする請求項２１に記載の試験装置。
【請求項２６】
スループットの形で性能尺度を提供する処理手段を備え、
前記性能尺度は、試験される前記基地局からの１つ以上の再送シーケンス番号に由来するデータを含む
ことを特徴とする請求項２１に記載の試験装置。
【請求項２７】
各メッセージブロックの前記最大再送回数は、前記再送シーケンス番号の表現に関連して判断されることを特徴とする請求項２６に記載の試験装置。
【請求項２８】
各メッセージブロックの前記最大再送回数は、１ずつ増加される再送シーケンス番号の表現の最大値以下であることを特徴とする請求項２６に記載の試験装置。
【請求項２９】
前記性能尺度は、送信されたメッセージブロックの数も含むことを特徴とする請求項２６に記載の試験装置。
【請求項３０】
前記性能尺度は、試験される前記基地局によって成功裏に復号されたメッセージブロックの相対数も含むことを特徴とする請求項２９に記載の試験装置。
【請求項３１】
前記性能尺度は、かかった時間、またはメッセージブロック頻度も含むことを特徴とする請求項２９に記載の試験装置。
【請求項３２】
前記上りリンクは、第３世代パートナーシップ・プロジェクトのエンハンスト上りリンクであることを特徴とする請求項２１に記載の試験装置。
【請求項３３】
前記メッセージブロックは、エンハンスト専用チャネル、又はＥ−ＤＣＨ専用物理データチャネルを介して送信されることを特徴とする請求項２１に記載の試験装置。
【請求項３４】
請求項１乃至１４のいずれか１項に記載の方法を実行する手段を備えることを特徴とする試験システム。
【請求項３５】
請求項１５乃至２０のいずれか１項に記載の移動局エミュレータもしくはエミュレータと、請求項２１乃至３３のいずれか１項に記載の試験装置と、を備えることを特徴とする試験システム。
【発明の詳細な説明】
【技術分野】
【０００１】
本発明は、通信システムにおける伝送の検証に関するものであり、より詳細には、セルラー方式移動無線システム、特に、ユニバーサル・モバイル・テレコミュニケーション・システムすなわちＵＭＴＳ、もしくはＷＣＤＭＡシステムの装置の検証に関するものである。
【背景技術】
【０００２】
移動局すなわちＭＳ、もしくは、ユーザ装置すなわちＵＥに着信する、あるいはそこから発信される、データの再送については、すでに知られている。専用チャネルについての確認応答モードにおいて、ＵＭＴＳプロトコル構造の媒体アクセス制御レイヤおよび無線リンク制御レイヤを利用することも、知られている。
【０００３】
確認応答モードにおいて、前方誤り制御によって復元されない送信エラーが検出された場合に、再送が行われる。これは、自動再送要求すなわちＡＲＱと呼ばれることもある。ＡＲＱでは、送信されたメッセージが（肯定）確認応答されない限り、あるいは、否定応答されたならば、再送が行われてもよい。一般に、それぞれの確認応答および否定応答が考慮されるには、期限がある。
【０００４】
図１は、無線通信システムの装置の一例を図解する。本特許出願の範囲内では、ＲＮＣ（無線ネットワーク制御装置）《ＲＮＣ》は、無線リソース制御装置を含むネットワーク要素として理解される。ノードＢ《ノードＢ  １》、《ノードＢ  ２》は、１つ以上のセルにおけるユーザ装置《ＵＥ》との無線送受信に責任を持つ、論理ノードである。図は、上りリンクおよび下りリンクの通信方向《上りリンク》《下りリンク》を示す。基地局すなわちＢＳは、ノードＢ《ノードＢ  １》、《ノードＢ  ２》を表す物理的エンティティである。ＲＮＣは、ＩｕｂインタフェースでノードＢに接続している。図において、ノードＢ《ノードＢ  １》、《ノードＢ  ２》およびユーザ装置《ＵＥ》は、ＡＲＱエンティティ《ＡＲＱ》を含むことが図解されている。
【０００５】
媒体アクセス制御すなわちＭＡＣ、および、無線リンク制御すなわちＲＬＣは、汎用パケット無線サービスすなわちＧＰＲＳ、およびＵＭＴＳのような、無線通信システムの中で用いられる。
【０００６】
第３世代パートナーシップ・プロジェクト（３ＧＰＰ）の「技術仕様グループ無線アクセスネットワーク、物理レイヤ手順、３Ｇ  ＴＳ  ３４．１２１  ｖ５．６．０、フランス、２００４年１２月」は、パラグラフ９．３．１．４．１において、ＳＳ（システム・シミュレータ）におけるＡＣＫ／ＮＡＣＫの取り扱いの設定について、ＵＥからの応答（ＡＣＫ、ＮＡＣＫ、またはＤＴＸ）に関係なく新規データが毎回送信されるように記述しているが、これは、ＣＱＩレポートの不一致を検証するため、ＨＡＲＱ送信が１に設定されている、すなわち、成功しなかったブロックの再送は行わないからである。システム・シミュレータすなわちＳＳは、試験されるＵＥに必要な試験環境を作り出すため、シミュレートされたノードＢのシグナリングを生成して１つ以上のＲＦチャネル上のＵＥのシグナリング応答を分析することが可能な、装置またはシステムである。図２は、３ＧＰＰ技術仕様の中の図Ａ．１６に相当するものであって、その仕様によるマルチパスフェージング伝搬試験用の接続を図解する。システム・シミュレータは、シミュレートされたノードＢアンテナ・コネクタにおいて、送信（ＴＸ）すなわち所望のスペクトル密度Ｉｏｒを有する下りリンクの送信信号《Ｓ》を生成する。下りリンク送信信号は、例えば、高速下りリンク共用チャネルすなわちＨＳ−ＤＳＣＨである。下りリンク送信信号は、減衰器《ＡＴＴ１》およびフェージングシミュレータ《フェージングシミュレータ》を通過し、シミュレートされた受信器信号《Ｒ》を生成する。ＡＷＧＮ（加法的白色ガウス雑音）発生器《ＡＷＧＮ発生器》が、ノイズ信号《Ｎ》を生成し、ノイズ信号《Ｎ》は、減衰器《ＡＴＴ２》を通過して、所望のスペクトル密度Ｉｏｃの帯域限定ノイズ信号《ＮＡ》を生成する。受信器信号《Ｒ》およびシミュレートされたノイズ信号《Ｎ》は、ハイブリッド合成器《ＨＹＢ》で合成される。合成された受信器信号およびノイズ《Ｒ＋ＮＡ》は、それをサーキュレータ《Ｃ》を通すことによって、試験されるＵＥ《被試験ＵＥ》のアンテナ・コネクタに入力される。試験されるＵＥ《被試験ＵＥ》は、ＴＸを上りリンク方向へ送信する。上りリンク信号は、サーキュレータ《Ｃ》もしくはそれに相当する装置、および減衰器《ＡＴＴ３》を通過する。
【０００７】
３ＧＰＰ技術仕様のセクション９．２は、多様なマルチパスフェージング環境におけるＨＳ−ＤＳＣＨの単一リンク性能に関連する。ＨＳ−ＤＳＣＨのＵＥ受信器の単一リンク性能は、情報ビットのスループットによって判断される。表９．２．１．２．は、ＵＥからのＡＣＫ／ＮＡＣＫ／ＤＴＸに応じたノードＢの規定された動作を列挙した表である。ＡＣＫが受信された場合、新たな送信が開始される。ＮＡＣＫが受信され、再送の最大回数に達していない場合、再送が開始される。最大で４回の送信が許されており、送信はハイブリッドＡＲＱすなわちＨＡＲＱを用いて合成される。確認応答モード制御エンティティ《ＡＭＣ》がＵＥの測定レポートを受け取り、必要に応じてデータブロックを再送する。
【０００８】
第３世代パートナーシップ・プロジェクト（３ＧＰＰ）の「技術仕様グループ無線アクセスネットワーク、ＦＤＤエンハンスト上りリンク、物理レイヤ面（リリース６）、３Ｇ  ＴＳ  ２５．８０８  ｖ１．０．１、フランス、２００５年２月」は、ＵＴＲＡ  ＦＤＤエンハンスト上りリンクの全般的サポートに関して、ノードＢによって制御されたスケジューリング、ハイブリッドＡＲＱ、およびＴＴＩの短縮化のサポートについて記述している。セクション８．１は、データ送信用の物理チャネルの構造について記述している。Ｅ−ＤＰＤＣＨ（Ｅ−ＤＣＨ専用物理データチャネル）は、Ｅ−ＤＣＨ（エンハンスト専用チャネル）タイプのＣＣＴｒＣｈ（符号化複合トランスポートチャネル）がその上にマッピングされている物理チャネルである。ＣＣＴｒＣｈは、１つ以上のトランスポートチャネルの符号化および多重化の結果として生じるデータストリームである。図３は、Ｅ−ＤＰＤＣＨのフレーム構造を図解する。Ｅ−ＤＰＤＣＨ無線フレームは、それぞれの長さが２ｍｓである５つのサブフレームに分かれており、第１のサブフレームが各Ｅ−ＤＰＤＣＨ無線フレームの開始点で始まり、５番目のサブフレームが各Ｅ−ＤＰＤＣＨ無線フレームの終点で終わる。データは、スロット単位で送信され、各スロットは２５６０のチップを含む。データビット数《Ｎｄａｔａ》は、表１に従って用いられるビットレート／ＳＦ（拡散係数）に依存する。
【０００９】
【表１】
2008530899.tif 000003
【００１０】
３ＧＰＰ技術仕様のセクション８．２．１は、Ｅ−ＤＣＨ  ＨＡＲＱ確認応答インジケータチャネルすなわちＥ−ＨＩＣＨの仕様を定めている。Ｅ−ＨＩＣＨは、上りリンクＥ−ＤＣＨハイブリッド−ＡＲＱ確認応答すなわちＨＡＲＱ−ＡＣＫのインジケータを搬送する、固定レート（ＳＦ＝１２８）の下りリンク物理チャネルである。
【００１１】
第３世代パートナーシップ・プロジェクト（３ＧＰＰ）の「技術仕様グループ無線アクセスネットワーク、基地局（ＢＳ）無線送受信（ＦＤＤ）（リリース６）、３Ｇ  ＴＳ  ２５．１０４  ｖ６．８．０、フランス、２００４年１２月」は、ＵＴＲＡ（ユニバーサル地上無線アクセス）のＦＤＤ（周波数分割複信）モードの基地局の最小ＲＦ特性の仕様を定めている。セクション８．３は、マルチパスフェージングチャネル条件の下でＤＣＨの復調の４つのテストケースについて記述している。セクションＢ．２は、マルチパスフェージング環境についての伝搬条件の仕様を定めている。
【００１２】
第３世代パートナーシップ・プロジェクト（３ＧＰＰ）の「技術仕様グループ無線アクセスネットワーク、基地局（ＢＳ）適合試験（ＦＤＤ）（リリース６）、３Ｇ  ＴＳ  ２５．１４１  ｖ６．８．０、フランス、２００４年１２月」は、ＦＤＤモードで動作中のＵＴＲＡ基地局についてのＲＦ（無線周波数）試験方法および適合要件の仕様を定めている。試験方法および適合要件は、３ＧＰＰ  ＴＳ  ２５．１０４に定義されたＵＴＲＡ基地局仕様に基づいており、かつ、それに調和している。セクション８．３は、マルチパスフェージングチャネル条件下でのＤＣＨの復調の４つのテストケースについての手順の仕様を定めている。
【発明の開示】
【発明が解決しようとする課題】
【００１３】
上記に引用された文書のいずれも、試験目的でのフィードバック情報のステータスレポートの送信を排除または削減する方法およびシステムを開示していない。
【課題を解決するための手段】
【００１４】
前述の先行技術の参考文献は、ＵＥエンティティと、ノードＢもしくはシステム・シミュレータとの間の送信について記述している。
【００１５】
ハイブリッドＡＲＱ送信に関する場合、先行技術は、各情報ブロックの送信インスタンスは１つだけ許可されるべきである、あるいは、フィードバックチャネルを要求するフィードバック情報によっては、変動する回数の送信が開始されるべきであると記述している。
【００１６】
一度の送信では、再送によるＡＲＱの性能向上をシミュレートすることはできない。変動する回数の送信には、フィードバック情報が必要であり、それによって次には、シミュレートされたチャネル、例えばマルチパスフェージングを引き起こす送信チャネルの相手側エンドで受信されることになるそのような制御情報の変調と送信とを含むための試験装置が必要となる。
【００１７】
特に、エンハンスト上りリンク送信の試験を行う場合、例えばスループットのような性能測定の試験を行うためには、検討中のリンクだけが試験装置の中で必要とされるのであって、必要な試験を実行するのにフィードバックリンクの完全実施は必要とされないことが、大いに望ましい。
【００１８】
従って、関連する、かつ、信頼性のある試験結果を依然として達成しながら、その一方で、フィードバックチャネルでの送信を排除もしくは削減することが、本発明の目的である。
【００１９】
さらなる目的は、例えば要件に従って行うのではない試験の原因を分りにくくしかねないプロセスを導入しないようにしながら、その一方で、フィードバックチャネルでの送信を排除もしくは削減することである。
【００２０】
また、試験のプロセスを迅速化しうるテストシミュレータを実現するため、試験のプロセスを単純化することも、目的の１つである。
【００２１】
最後に、依存関係を減らすため、各種の試験を分離することも、目的の１つであるが、それらの依存関係は、実行されるシステムの設置状況の違いによって異なることがありうる。
【００２２】
これらの目的は、本発明によって満足されるが、本発明は、進化したユニバーサル・モバイル・テレコミュニケーション・システムの高速下りリンクパケットアクセスを備えたシステムのエンハンスト上りリンクの性能試験に特に適している。
【００２３】
本発明の好適実施形態について、下記の添付図面を参照しながら、例証として記述する。
【発明を実施するための最良の形態】
【００２４】
図４は、本発明による、上りリンクの試験用に接続された試験装置の一例を図解する図である。特に、ＵＭＴＳシステムのエンハンスト上りリンクの試験が行われる。上りリンク通信のビットレートおよび容量を増加させる重要な要素は、ハイブリッドＡＲＱの採用である。
【００２５】
基地局《被試験ＢＳ》の性能検証の間、無線チャネルシミュレータが、変化する無線条件をシミュレートする。無線チャネルシミュレータは、好適な一実施形態において、ノイズ発生器《ＡＷＧＮ発生器》と、減衰器《ＡＴＴ１》、《ＡＴＴ２》と、現実的で関連性のある上りリンクの試験を行うため、ＵＥシミュレータからの送信信号《Ｓ》に影響を与える、所望の特性のチャネルの変化を生成するフェージングシミュレータ《フェージングシミュレータ》と、そして、受信信号《Ｒ》と減衰されたノイズ信号《ＮＡ》とを合成するハイブリッド合成器《ＨＹＢ》またはそれに相当する装置とを含む。
【００２６】
実際のシステムでは、フィードバック信号《ＦＢ》が、基地局《被試験ＢＳ》から現在のユーザ装置エンティティへ送信される。フィードバック情報は、先に送信したデータのさらなる送信が開始されるべきかどうかをユーザ装置が判断するための、例えば、ＨＡＲＱ関連の情報を提供する。さらなる（再）送信をすることなく、送信の復号が成功した場合と比べると、明らかに、データの再送は、スループットを減少させる。
【００２７】
また、（エンハンスト）上りリンクの試験のＵＥシミュレータは、もちろん、実際のＵＥと同様に、フィードバック情報を復調させる無線周波数チューナを含むようにさせてもよいだろう。しかし、試験目的にしては、これは試験装置のコストを増加させるであろうし、また、基地局の上りリンク回路機構が、例えば、結果としての（上りリンク）スループット試験結果に与える影響を判断するのが、難しくなるであろう。試験システムのフィードバックチャネル《ＦＢ》を完全実施するとすれば、移動局すなわちＭＳのエミュレータもしくはシミュレータ《ＵＥシミュレータ》は、無線フィードバック信号を復号し、基地局《被試験ＢＳ》へ送信されるべきデータ《Ｓ》をリアルタイムで（すなわち事実上瞬間的に）調整することが必要となるであろう。従って、これによって、復調能力に加えて、ＭＳエミュレータもしくはシミュレータ《ＵＥシミュレータ》の相当な処理能力が必要となるであろう。
【００２８】
フィードバックを必要としないことのさらなる利点は、フィードバックチャネル内のエラーが独立して考慮できることであり、そのため、エンハンスト上りリンクチャネルとフィードバックチャネルとの確率論的プロセスの合同分析において、エンハンスト上りリンクのエラープロセスだけでなくフィードバックチャネルのエラープロセスによっても影響を受けた試験結果の複雑な分析をする必要がないということである。
【００２９】
この利点は、ハンドオーバプロセスも考慮する場合、さらに大きい。ハンドオーバプロセスは、プロトコルデータユニットのシーケンス番号のエラーを生じさせ、フィードバックチャネルのエラーと結合し、かつ、試験される基地局の上りリンクの試験性能に影響を及ぼすことがある。
【００３０】
従って、上りリンクの試験を目的とした場合、（エンハンスト）上りリンクの性能、例えばスループットの試験のフィードバックパスを排除することは、大いに望ましい。
【００３１】
本発明の好適実施形態によれば、フィードバックを必要としない所定のテストパターンを送信する、信頼性のある試験手順が請求される。これは、ＨＡＲＱ送信の最大回数に対応する、送信許可の最大回数を導入することによって、実現される。
【００３２】
本発明によって、ＭＳエミュレータもしくはシミュレータ《ＵＥシミュレータ》が、この所定の最大送信回数の送信を行うように構築される。各メッセージのこれらの送信は、必要に応じて、基地局《被試験基地局》によって合成される。
【００３３】
発明者は、例えば３ＧＰＰ仕様に従って、基地局が、復号されたメッセージブロックの各々についてＲＳＮ（再送シーケンス番号）を提供すべきだと考える。さらに発明者は、ＲＳＮが、メッセージブロックの復号が成功するまでに必要な送信数を反映する、と考える。（復号が成功するとは、利用可能なエラーチェックによって、正確であると考えられる復号であると理解される。その結果、復号されたメッセージブロックもまた、高い確率で、正確に復号される。）本発明を限定するのではないが、現在、ＲＳＮは最大で３とされており（ＲＳＮ∈［０，１，２，３］）、従って、２ビットを転送されることだけが求められる。スループットは、好適な性能尺度である。本発明の第１のモード（態様）によれば、スループットは、ＲＳＮによって反映されたような必要な送信回数と、メッセージブロック送信の総数及び各メッセージブロックの（再）送信の所定の最大回数と、各送信にかかった時間との割合に基づいて計算される。あるいは同等に、各ブロックの最初の送信回数であるΣｉＢｌｏｃｋｉ、および、ＲＳＮによって反映されたような必要な送信にかかった合計時間であるΣｉ（１＋ＲＳＮｉ）に基づいて計算される。その結果、送信効率は、復号の不成功を考慮しないとすれば、
【００３４】
【数１】
2008530899.tif 000004
【００３５】
となろう。
【００３６】
本発明による方法の軽微な欠点は、試験手順の時間が多少延長されることであるが、それは、試験される基地局《被試験ＢＳ》には必要でないメッセージの（再）送信に時間が場合によっては費やされるためである。
【００３７】
現行のＲＳＮの限度であれば、試験は、（最初の送信および３回以下の再送に相当する）４つ以下の各メッセージブロックの送信インスタンスのすべての最大回数について、正確な結果を提供するであろう。実際的な試験目的としては、４は、各メッセージブロックの送信の、好適な最も大きい最大回数である。
【００３８】
本発明によると、できれば、複数の所定のテストケースがあり、かつ、それぞれが情報部分の（再）送信について指定された最大回数を備えることが望ましい。
【００３９】
本発明の第２のモード（態様）によれば、スループットは、効率、およびビットレートまたはブロックレート、という形で表現される。また、効率を測定するため、復号に成功したとして示されたブロックの相対数であるＳＤ／（ＳＤ＋ＵＤ）によって、数式（１）におけるスループットに重みを付けることによって、正確なブロックレートを考慮する場合、復号に成功しなかったものも考慮する場合の効率は、次式で与えられるであろう。なお、ＳＤは、復号に成功したブロックの数であり、ＵＤは、復号に成功しなかったブロックの数である。
【００４０】
【数２】
2008530899.tif 000005
【００４１】
所望のスループットηは、できれば、数式（２）における効率を各ブロックのために要する時間すなわちＴｂｌｏｃｋで除することによって、かかった時間当たりで表現されることが望ましい。ブロックレートではなくビットレートによってスループットを表現するには、数式（２）の効率に、ブロック毎のビット数すなわちＮｂｌｏｃｋを乗ずる。
【００４２】
【数３】
2008530899.tif 000006
【００４３】
数式（３）（そして、それに対応して数式（１）もしくは（２））における尺度を判断するための試験手順の一例を、図５のフローチャートに図解する。
【００４４】
ステップ《Ｓ５》において確認（チェック）されるように、試験において、所定の数のブロックが送信されることになる。試験においては、１つの情報ブロックが、（再）送信する最大回数分だけ一度に送信される《Ｓ１》。試験されるＢＳは、メッセージブロックのすべての（再）送信を受け取り、最初はメッセージブロックの１番目の送信だけを用いて、送信されたブロックを復号する《Ｓ２》。復号が成功したか否かが、評価される《Ｓ３》。復号が成功した場合、送信すべきブロックがさらにあるならば《Ｓ５》、次のメッセージブロック《Ｓ１》が（先のブロックの残余の送信の情報を用いることなく）送信され、任意（オプション）で、復号が成功したブロックの数が１だけ増やされる《Ｓ４》。復号が成功しなかった場合、復号のために（再）送信のすべての最大回数が検討されたかどうかが、評価される。もしそうでなかった場合、試験される基地局は、もう１度の（再）送信において、情報を含むメッセージブロックを復号する《Ｓ２》。復号時にすべての（再）送信の検討がなされたが復号が成功しなかった場合《Ｓ７》、任意で、復号に成功しなかったメッセージブロックの数が１だけ増やされる《Ｓ８》。復号の試行が最大回数に達したとき《Ｓ７》、あるいは、メッセージブロックの復号に成功したとき《Ｓ３》（これらは、どちらが先に発生してもよい）、試験に従えばそれ以上ブロックを評価する必要がなくなるまで、最大回数の再送を添えて、次のメッセージブロックが送信される《Ｓ５》。
【００４５】
すべてのメッセージブロックが送信されて復号された時、得られた変数から統計がとられる。現行の仕様によると、復号の試行回数を、基地局から、高位ノード例えば無線ネットワーク制御装置すなわちＲＮＣへ報告することが必要である。従って、必要な復号の試行回数の総数であるすなわちｋ＝Σｉ（１＋ＲＳＮｉ）は、試験されるＢＳから得られる出力である《Ｓ６》。送信された情報ブロックの数ｉ＝ΣｉＢｌｏｃｋｉは、試験装置から知られている《Ｓ６》。従って、数式（１）のスループットの測定は、容易に得られる。また、送信された各メッセージについての送信時間すなわちＴｂｌｏｃｋ、および試験のすべてのメッセージについての送信時間も得られる。無事に復号されたメッセージの相対数は、試験される基地局によって、得られることもあるし、得られないこともある。従って、オプションで、数式（２）における割合が得られる。別の実施形態において、メッセージブロックの復号に成功した数について継続的に算出された数が任意で除外され、復号に成功したメッセージブロックの割合は、基地局からの出力データと送信データとを比較することによって判断される。
【００４６】
図６は、本発明に従う移動局エミュレータもしくはシミュレータ《ＵＥシミュレータ》を図解する。移動局エミュレータもしくはシミュレータ《ＵＥシミュレータ》は、できれば、記憶手段《Ｍ》、処理手段《μ》、および、送信回路機構《ＴＸ》を含むことが望ましい。メッセージブロック毎に、所定の１以上の最大送信回数が、入力手段《Ｉ１》、《Ｉ２》によって移動局エミュレータもしくはシミュレータ《ＵＥシミュレータ》に入力される。できれば、１以上の最大送信回数は、記憶手段《Ｍ》に入力され、必要に応じて処理手段《μ》によって読み出されることが望ましい。あるいは、メッセージブロックの個別の最大送信回数が、記憶手段《Ｍ》もしくは処理手段《m》に入力される。処理手段《μ》は、情報のテストメッセージ、および、その所定の再送回数を通信回路機構《ＴＸ》に提供するように構成される。処理手段《μ》は、できれば記憶手段《Ｍ》の中間使用も含めて、送信されたメッセージブロックの数を追跡する。送信回路機構は、当技術分野で知られた十分に定義された仕様に従って、１つ以上の変調された信号《Ｏ１》を出力し、上述のようにチャネルシミュレータによって試験される基地局へと通す。すべてのメッセージブロックが送信された時、移動局エミュレータもしくはシミュレータは、送信されたメッセージブロックの数《Ｏ２》を供給する。例示する一実施形態において、移動局エミュレータもしくはシミュレータ《ＵＥシミュレータ》は、テストケースから送信されたメッセージブロックのデータ《Ｏ２》を供給する。この例示する実施形態において、送信されたデータは、試験される基地局から受信されたデータと比較され、下記のように試験装置において評価される。
【００４７】
図７は、本発明の試験装置《ＴＥ》の例を図解する。試験装置《ＴＥ》は、できれば、各メッセージブロックの最大送信回数を入力するための少なくとも１つの入力《Ｉ１》、《Ｉ２》を含むことが望ましい。また、これは、記憶手段《Ｍ》の中に記憶され、要求されれば処理手段《μ》によってアクセスされることもできよう。試験装置は、移動局エミュレータもしくはシミュレータ《ＵＥｓｉｍ》およびチャネルシミュレータ《ＣＨｓｉｍ》を含み、ここで少なくとも移動局エミュレータもしくはシミュレータ《ＵＥｓｉｍ》は処理手段《μ》によって制御される。好適な実施形態において、処理手段および記憶手段は、試験装置の統合されたエンティティにおいて、移動局エミュレータもしくはシミュレータ《ＵＥｓｉｍ》と試験装置《ＴＥ》との間で、共有される。しかし、試験装置は、移動局エミュレータもしくはシミュレータ《ＵＥｓｉｍ》に、そして、任意で、チャネルシミュレータ《ＣＨｓｉｍ》にも接続されるスタンドアロン型の制御エンティティとして実現されてもよい。チャネルシミュレータからの出力《Ｏ１》は、試験される基地局に接続されるコネクタに提供される。また、評価のために試験の性能測定結果を出力する、出力手段《Ｏ２》もある。処理手段《μ》は、任意で、試験装置へのデータ入力《Ｉ１》、《Ｉ２》を、移動局エミュレータもしくはシミュレータ《ＵＥｓｉｍ》によって提供される、試験される基地局の出力と比較するように構成される。試験装置は、試験の性能を提供するための出力《Ｏ２》を、できれば数式（３）に対応するスループットという形で含むことが望ましい。
【００４８】
当業者であれば、ＢＳもしくはＵＥの受信器と送信器の特性は、本質的に一般的であることを容易に理解する。本特許出願の範囲内のＢＳ、ＵＥ、またはＲＮＣのような概念の使用は、本発明をこれらの頭字語に関連する装置だけに限定することを意図していない。それは、本発明に関して、相応して動作する、あるいは、それに適合することが当業者にとって明らかである、すべての装置に関係する。明確な非排他的な例として、本発明は、１つ以上のＳＩＭを有するユーザ装置と同様に、加入者ＩＤモジュールすなわちＳＩＭを持たない移動局にも関連する。さらに、ＵＭＴＳという用語に密接に関係しながら、プロトコルおよびレイヤについて言及されている。しかし、これは、同様の機能を持つ他のプロトコルやレイヤを備えた他のシステムにおける本発明の適用を除外するものではない。
【００４９】
本発明は、上記に詳細に記述した実施形態だけに限定されることを意図していない。本発明から逸脱することなく、変更や修正がなされうる。本発明は、添付の請求項の範囲内のすべての修正を対象とする。
【図面の簡単な説明】
【００５０】
【図１】無線通信システムの装置の一例を図解する図である。
【図２】先行技術による、マルチパスフェージング伝搬試験用の接続を図解する図である。
【図３】Ｅ−ＤＰＤＣＨのフレーム構造を図解する図である。
【図４】本発明による、上りリンクの試験用に接続された試験装置の一例を図解する図である。
【図５】本発明による、基地局上りリンクの性能尺度を判断するための試験手順の一例をフローチャートで図解する図である。
【図６】本発明による、移動局エミュレータもしくはシミュレータを図解する図である。
【図７】本発明による、試験装置の一例を図解する図である。
【図１】
2008530899.tif 000007
【図２】
2008530899.tif 000008
【図３】
2008530899.tif 000009
【図４】
2008530899.tif 000010
【図５】
2008530899.tif 000011
【図６】
2008530899.tif 000012
【図７】
2008530899.tif 000013
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
移動通信システムの基地局の上りリンクの試験のための方法であって、
メッセージブロックがそれぞれ所定の最大再送回数、前記試験の各メッセージブロックについて試験される前記基地局からの１つ以上の再送要求を必要とせずに、移動局エミュレータもしくはシミュレータから送信される
ことを特徴とする方法。
【請求項２】
前記移動局エミュレータもしくはシミュレータ、および前記基地局は、無線周波数チャネルシミュレータを介して接続されることを特徴とする請求項１に記載の方法。
【請求項３】
試験される前記基地局は、再送情報を復号して合成する、ハイブリッドＡＲＱ用に設計されていることを特徴とする請求項１に記載の方法。
【請求項４】
それぞれが異なる所定の最大再送回数を有する、所定数のテストケースが存在することを特徴とする請求項１に記載の方法。
【請求項５】
前記移動局エミュレータもしくはシミュレータと、試験される前記基地局との間に、フィードバックチャネルが確立されるか否かとは無関係に、実行可能であることを特徴とする請求項１に記載の方法。
【請求項６】
前記移動局エミュレータもしくはシミュレータと、試験される前記基地局との間に、Ｅ−ＤＣＨ  ＨＡＲＱ確認応答インジケータチャネルが確立されるか否かとは無関係に、実行可能であることを特徴とする請求項１に記載の方法。
【請求項７】
試験装置がスループットの形で性能尺度を提供し、
前記性能尺度は、試験される前記基地局からの１つ以上の再送シーケンス番号に由来するデータを含む
ことを特徴とする請求項１に記載の方法。
【請求項８】
各メッセージブロックの前記最大再送回数は、前記再送シーケンス番号の表現に関連して判断されることを特徴とする請求項７に記載の方法。
【請求項９】
各メッセージブロックの前記最大再送回数は、１ずつ増加される再送シーケンス番号の表現の最大値以下であることを特徴とする請求項７に記載の方法。
【請求項１０】
前記性能尺度は、送信されたメッセージブロックの数も含むことを特徴とする請求項７に記載の方法。
【請求項１１】
前記性能尺度は、試験される前記基地局によって成功裏に復号されたメッセージブロックの相対数も含むことを特徴とする請求項１０に記載の方法。
【請求項１２】
前記性能尺度は、かかった時間、またはメッセージブロック頻度も含むことを特徴とする請求項１０に記載の方法。
【請求項１３】
移動通信システムの基地局の上りリンクの試験のための移動局エミュレータもしくはシミュレータであって、前記移動局は、
前記試験の各メッセージブロックについて試験される前記基地局からの１つ以上の再送要求の受信を必要とせずに、所定の最大回数、メッセージブロックを送信する送信手段を備える
ことを特徴とする移動局エミュレータもしくはシミュレータ。
【請求項１４】
所定数のテストケースのために前記所定の最大回数を変化させる電気回路を備えることを特徴とする請求項１３に記載の移動局エミュレータもしくはシミュレータ。
【請求項１５】
送信されたメッセージブロックの数を提供する出力手段を備えることを特徴とする請求項１３に記載の移動局エミュレータもしくはシミュレータ。
【請求項１６】
送信されるメッセージブロック内に送信情報を提供する出力手段を備えることを特徴とする請求項１３に記載の移動局エミュレータもしくはシミュレータ。
【請求項１７】
移動通信システムの基地局の上りリンク試験のための試験装置であって、
チャネルシミュレータを介して移動局エミュレータもしくはシミュレータから試験される前記基地局へ送信されるメッセージブロックに関連する性能尺度を判断する処理手段を備え、
各メッセージブロックは、前記試験の各メッセージブロックについて試験される前記基地局からの１つ以上の再送要求を必要とせずに、所定の最大再送回数、送信される
ことを特徴とする試験装置。
【請求項１８】
前記移動局エミュレータもしくはシミュレータと、試験される前記基地局とを無線周波数で相互接続する手段を備えることを特徴とする請求項１７に記載の試験装置。
【請求項１９】
試験される前記基地局から前記移動局エミュレータもしくはシミュレータへのフィードバックチャネルが確立されるか否かとは無関係に動作可能であることを特徴とする請求項１７に記載の試験装置。
【請求項２０】
スループットの形で性能尺度を提供する処理手段を備え、
前記性能尺度は、試験される前記基地局からの１つ以上の再送シーケンス番号に由来するデータを含む
ことを特徴とする請求項１７に記載の試験装置。
【請求項２１】
各メッセージブロックの前記最大再送回数は、前記再送シーケンス番号の表現に関連して判断されることを特徴とする請求項２０に記載の試験装置。
【請求項２２】
各メッセージブロックの前記最大再送回数は、１ずつ増加される再送シーケンス番号の表現の最大値以下であることを特徴とする請求項２０に記載の試験装置。
【請求項２３】
前記性能尺度は、送信されたメッセージブロックの数も含むことを特徴とする請求項２０に記載の試験装置。
【国際調査報告】
2008530899.tif 000014
2008530899.tif 000015
2008530899.tif 000016